(57)【要約】【課題】本発明は、コンタクトガラスに付着したゴミか否かを的確に判断し、原稿の画像読み取りを行うまでの時間を短縮することができる安価な画像読取装置を提供する。【解決手段】原稿を搬送するピックアップローラ６及びフィードローラ４と、搬送中の原稿の画像をコンタクトガラス１ａを介して読み取る読取センサ１と、読取センサ１に対向する位置に配置されたプラテンローラ１０とを備え、原稿８を搬送せずに、読取センサ１よって読み取られた画像データに基づいて、コンタクトガラス１ａに付着したゴミの有無を判定する。【選択図】図２
2014060752.tif 000002
【特許請求の範囲】
【請求項１】
搬送される原稿が接するコンタクト部材に対向して配置される回転部材と、
前記回転部材に一端側が固着されてその他端側が当該回転部材の外周部から突出して設けられ、前記回転部材の回転時に前記コンタクト部材に接触して前記コンタクト部材の表面を清掃する清掃部材と、
前記回転部材の外周部には、前記清掃部材が前記コンタクト部材に接触して倒れ込む清掃部材収納部を有することを特徴とする画像読取装置。
【請求項２】
前記回転部材は、半円筒状の黒色部材と半円筒状の白色部材とが接合することで形成され、前記清掃部材は、前記黒色部材と前記白色部材とが接合される接合部から突出して設けられていることを特徴とする請求項１に記載の画像読取装置。
【請求項３】
前記清掃部材による前記コンタクト部材の清掃を終えた後、前記回転手段を回転させる駆動手段を制御して、選択された背景色となるように前記回転部材の前記黒色部材又は前記白色部材を前記画像読取手段に対向する位置まで回転させる制御部を更に備えたことを特徴とする請求項１又は２に記載の画像読取装置。
【請求項４】
前記制御部は、前記駆動手段を制御して、原稿が搬送される前又は先行する原稿の搬送後に前記清掃部材による前記コンタクト部材の清掃を行った後、前記回転部材の前記黒色部材が前記画像読取手段に対向する位置となるようにすることを特徴とする請求項３に記載の画像読取装置。
【発明の詳細な説明】
【技術分野】
【０００１】
本発明は、画像読取装置に関し、特に、原稿を一定速度で搬送しながら原稿画像を読み取る際に、コンタクトガラス上に付着したゴミや汚れ等を検知することが可能な画像読取装置に関する。
【背景技術】
【０００２】
従来、原稿の画像を読み取る手法には、原稿を固定しておいてその画像を読み取る方式と、原稿を搬送させながらその画像を読み取る方式とがある。一般的に、前者の方式は原稿固定方式と称され、後者の方式は原稿搬送方式と称されている。
【０００３】
原稿搬送方式による画像読取装置には、原稿が載置された原稿トレイから原稿を搬送する搬送手段と、搬送手段により搬送中の原稿の画像をコンタクトガラスを介して読み取る読取手段と、読取手段に対向して配置されたプラテンローラとを備えるものがある。このような画像読取装置では、コンタクトガラス上で原稿を搬送させながら、一定周期ごとに読取手段で一ライン分の画像を読み取り、その画像データがラインメモリに書き込まれる。ラインメモリに書き込まれた画像データは、次々と書き込みアドレスが加算されながら画像メモリに格納される。
【０００４】
従来の画像読取装置において問題となるのは、読取手段の読取位置における塵埃（以下、「ゴミ」と称する。）の存在によって画像上に黒スジが発生することである。特に、原稿がコンタクトガラス上を搬送される構成にあってはゴミによる黒スジの発生の頻度が多い。すなわち、原稿自体がゴミを運び、静電気などによってコンタクトガラスにゴミなどを付着させることがある。この場合のゴミとしては、紙粉、原稿上のゴミ、原稿搬送部材を構成するゴムの磨耗片などがある。
【０００５】
そこで、ゴミの影響による画像の劣化を回避するために、コンタクトガラスに付着したゴミを検知して、ゴミのない読取位置に読取センサを移動させるという手段が提案されている（例えば、特許文献１参照）。
【先行技術文献】
【特許文献】
【０００６】
【特許文献１】特許第３４８６５８７号公報
【発明の概要】
【発明が解決しようとする課題】
【０００７】
しかしながら、ゴミ検知については、通常、給紙前に原稿が無い状態で画像を読み取り、読み取った画像からゴミ検知が行われるため、プラテンローラに付着したゴミかコンタクトガラスに付着したゴミかを判別することができない。その結果、画像には影響の無いプラテンローラにゴミが付着している場合であっても、ゴミの影響による画像劣化を回避するために、読取センサの移動を行ってしまい、原稿の画像読み取りを行うまでに時間がかかる。また、コンタクトガラスにはゴミがついていないのにエラーになってしまう場合がある。また、高価な読取センサの移動機構が必要となる。
【０００８】
本発明は、上記問題に鑑みて成されたものであり、コンタクトガラスに付着したゴミか否かを的確に判断し、原稿の画像読み取りを行うまでの時間を短縮することができる安価な画像読取装置を提供することを目的とする。
【課題を解決するための手段】
【０００９】
上記目的を達成するために、請求項１記載の画像読取装置は、搬送される原稿が接するコンタクト部材に対向して配置される回転部材と、前記回転部材に一端側が固着されてその他端側が当該回転部材の外周部から突出して設けられ、前記回転部材の回転時に前記コンタクト部材に接触して前記コンタクト部材の表面を清掃する清掃部材と、前記回転部材の外周部には、前記清掃部材が前記コンタクト部材に接触して倒れ込む清掃部材収納部を有することを特徴とする。
【発明の効果】
【００１０】
本発明によれば、コンタクトガラスに付着したゴミか否かを的確に判断し、原稿の画像読み取りを行うまでの時間を短縮することができる。
【図面の簡単な説明】
【００１１】
【図１】本発明の第１の実施の形態に係る画像読取装置の概略構成を示す縦断面図である。
【図２】図１の画像読取装置における画像読取部を拡大した側面図である。
【図３】図１の画像読取装置及び外部制御装置の電気的構成の概略を示すブロック図である
【図４】画像読取装置において実行されるゴミの有無判定処理の一例を示すフローチャートである。
【図５】図４のステップＳ１０２でゴミが検知されたときに移動したプラテンローラの停止位置の一例を示す図である。
【図６】本発明の第２の実施形態におけるゴミ検知方法を説明するための図である。
【図７】本発明の第３の実施形態におけるゴミ検知方法を説明するための図である。
【発明を実施するための最良の形態】
【００１２】
以下、本発明の実施の形態を図面を参照して詳細に説明する。
【００１３】
［第１の実施形態］
図１は、本発明の第１の実施の形態に係る画像読取装置の概略構成を示す縦断面図である。図２は、図１の画像読取装置における画像読取部を拡大した側面図である。
【００１４】
図１において、画像読取装置１２は、原稿８を載置する原稿台７と、原稿台７に載置された原稿８を装置内に給送するピックアップローラ６及びフィードローラ４と、分離ローラ１１とを備える。原稿８がピックアップローラ６に当接するまで原稿台７が上昇し、ピックアップローラ６及びフィードローラ４によって原稿８が装置内に給送される。原稿８がピックアップローラ６により一度に二枚以上給送された場合、分離ローラ１１により分離され、一枚ずつ給送される。
【００１５】
画像読取装置１２は、原稿の表面を読み取る画像読取部として、読取センサ１と、原稿の搬送方向に対して直角の回転軸を有し、読取センサ１に対向する位置に配置されたプラテンローラ１０とを備える。読取センサ１とプラテンローラ１０との間には、フィードローラ４により搬送される原稿８の搬送路として一定の隙間が設けられている。
【００１６】
読取センサ１は、プラテンローラ１０に対向する面にコンタクトガラス１ａが設けられている。読取センサ１は、フィードローラ４により搬送中の原稿の画像をコンタクトガラス１ａを介して読み取ることが可能である。
【００１７】
プラテンローラ１０は、駆動モータ１５により図示の矢印の方向に回転駆動すると共に、任意の位置で停止する。位置センサ２１は、プラテンローラ１０の回転位置を検知する。また、プラテンローラ１０には、図２に示すように、読取センサ１に対向する面が黒色である黒色部１７（斜線部）と、白色である白色部１８（非斜線部）とが設けられている。このようにプラテンローラ１０は、任意の停止位置と搬送手段による原稿搬送時の停止位置とで読取センサ１による原稿画像の読み取り時の背景色が異なるように構成されているのが好適である。
【００１８】
原稿の表面が読み取られた原稿８は、更に搬送ローラ５により原稿の裏面を読み取る画像読取部に搬送され、その後排出される。原稿の裏面を読み取る画像読取部は、上述した原稿の表面を読み取る画像読取部と同一の構成を有する。
【００１９】
図３は、図１の画像読取装置における画像読取部の機能構成の概略を示すブロック図である。
【００２０】
図３において、画像読取装置１２は、画像読取部として、読取センサ１の他に、画像入力部４１と、画像メモリ４２と、ゴミ検知部４３と、ＣＰＵ２０と、外部Ｉ／Ｆ２２とを備える。
【００２１】
本第１の実施形態では、画像読取部にて原稿８の画像を読み取る際は、プラテンローラ１０を駆動して図２に示す第一の停止位置１９で停止させることで原稿の裏側に配置する背景部材をプラテンローラ１０の白色部１８にする。そして、読取センサ１とプラテンローラ１０との間に原稿を搬送させながら、一定周期ごとに読取センサ１で原稿の画像を読み取って画像入力部４１に画像データを出力する。そして、画像入力部４１に入力された画像データは、画像メモリ４２に格納される。
【００２２】
外部制御装置２００のＣＰＵ２０１は、外部制御装置２００の全体の制御を司る。２０２はＲＡＭであり、ＣＰＵ２０１の処理プログラム等が格納される。２０３は外部インターフェース（Ｉ／Ｆ）である。ＣＰＵ２０１は、例えば、外部インターフェース２０３を介して画像読取装置１２へ指示を与えたり、画像データ等を取り込んでＲＡＭ２０２へ格納する。表示部２０４は、画像読取装置１２の状態表示、設定表示、画像データ表示等を行う。操作部２０５は、キーボードやマウス等で構成される。
【００２３】
ＣＰＵ２０は、画像読取装置１２内の各部を制御して、画像メモリ４２に格納された画像データを外部Ｉ／Ｆ２２（外部接続手段）を介してパーソナルコンピュータ（以下、「ＰＣ」と略す。）等の外部制御装置に出力することができる。ＣＰＵ２０は、外部制御装置からの命令に応じて、各部に画像読み取り動作を実行させることができる。
【００２４】
画像読取装置１２は、原稿の画像を読み取る前に、コンタクトガラス１ａ（及びプラテンローラ１０）の表面に付着したゴミを検知する機能を備える。ゴミ検知をする際には、プラテンローラ１０の白色部１８を読取センサ１に対向させておき、原稿を搬送せずに、読取センサ１で一ライン分の画像を読み取る。または、原稿の搬送中に読取位置に原稿が存在しないときに一ライン分の画像データを読み取る。画像データは、読取センサ１から画像入力部４１に入力される。そして、画像入力部４１に入力された画像データは、画像メモリ４２に格納される。
【００２５】
画像メモリ４２に格納された画像データは、ゴミ検知部４３によりゴミの有無が検知される。原稿を搬送せずに読み取られた画像データは、暗い部分が明度の小さい値、明るい部分が明度の大きい値となる。つまり、コンタクトガラス１ａ（またはプラテンローラ１０）に小さなゴミが付着していた場合、ゴミが付着していた箇所の画素では、他の画素に比べて明度が小さくなる。そこで、本実施の形態におけるゴミの検知方法では、画像メモリ４２に格納された画像データの一ライン分の画像データ中で一画素ずつ注目画素を移動させてゆき、注目画素の明度が予め設定されたしきい値より小さい場合に、ゴミありと検知する。そして、プラテンローラ１０を回転駆動して異なる回転角度で停止させ、上述した検知方法で再度ゴミの検知を行うことで、コンタクトガラス１ａに付着したゴミか、プラテンローラ１０に付着したゴミかを判定することができる。このような検知方法は、黒色等のゴミの検知に適している。なお、ゴミの有無の検知については、プラテンローラ１０の黒色部１７を読取センサ１に対向させておき、原稿を搬送せずに読み取った画像データを用いて注目画素の明度と予め設定されたしきい値とを比較してもよい。当該注目画素の明度がしきい値よりも大きいときに、ゴミありと検知してもよい。このようにすることで、コンタクトガラス１ａに付着した白色等のゴミが検知できる。また、このようなゴミ検知と前述した白色部１８を対向させて行うゴミ検知の両方を行うことが好適である。
【００２６】
また、ゴミの検知方法については、注目画素と隣接する１画素または複数の画素の明度を比較し、その明度の差を予め設定されたしきい値と比較することでゴミの検知を行うようにしてもよい。この場合、明度の差がしきい値より大きいとき（または小さいとき）にゴミあり（またはゴミなし）と判定する。また、上記の各ゴミ検知方法で一ライン分の画像データを用いているが、一ライン分の画像データのうち不要部分を削除したり、一ライン分の画像データを間引く等の処理を行って生成した一次元画像データを用いてもよい。
【００２７】
次に、画像読取装置１２で原稿の画像読み取り前に実行されるゴミの有無判定処理について説明する。
【００２８】
画像読取装置１２は、装置本体上の不図示の読み取り開始ボタンの押下またはＰＣ等の外部制御装置からの画像読み取り命令がなされると、原稿８を装置内に給送して画像読み取りを行う前にゴミの有無判定処理を行う。
【００２９】
図４は、画像読取装置１２において実行されるゴミの有無判定処理の一例を示すフローチャートである。
【００３０】
まず、ＣＰＵ２０は、駆動モータ１５によりプラテンローラ１０を回転駆動して、図２に示す第一の停止位置１９にて停止させる（ステップＳ１０１）。次に、ＣＰＵ２０は、原稿８を搬送させず、読取センサ１により一ライン分の画像データを読み取らせて画像メモリ４２に格納し、ゴミ検知部４３により画像メモリ４２内の画像データからゴミを検知させ、ゴミを検知したか否かを判定する（ステップＳ１０２）。ゴミ検知部４３によるゴミの検知方法については上述した方法で行われる。
【００３１】
画像データからゴミを検知しなかった場合は（ステップＳ１０２でＮＯ）、ＣＰＵ２０は、コンタクトガラス１ａにゴミの付着なしと判定して（ステップＳ１０６）、本処理を終了する。そして、ゴミの付着なしと判定された場合、画像読取装置１２は、原稿８の給送を行って画像読み取りを実行する。
【００３２】
一方、画像データからゴミが検知された場合（ステップＳ１０２でＹＥＳ）、ＣＰＵ２０は、駆動モータ１５により第一の停止位置１９からプラテンローラ１０を回転駆動し、図５に示す第二の停止位置２３にて停止させる（ステップＳ１０３）。次に、ＣＰＵ２０は、ステップＳ１０２と同様に、読取センサ１により一ライン分の画像データを読み取らせて画像メモリ４２に格納し、ゴミ検知部４３により該画像データからゴミを検知させ、ゴミを検知したか否かを判定する（ステップＳ１０４）。
【００３３】
画像データからゴミを検知しなかった場合は（ステップＳ１０４でＮＯ）、ＣＰＵ２０は、コンタクトガラス１ａにゴミの付着なしと判定して（ステップＳ１０６）、本処理を終了する。そして、ゴミの付着なしと判定された場合、画像読取装置１２は、プラテンローラ１０を図２に示す第一の停止位置１９に戻し、原稿８を給送して画像読み取りを実行する。
【００３４】
一方、ステップＳ１０４において、画像データからゴミが検知された場合は（ステップＳ１０４でＹＥＳ）、ＣＰＵ２０は、コンタクトガラス１ａにゴミの付着ありと判定して（ステップＳ１０５）、本処理を終了する。そして、画像読取装置１２は、原稿８を給送せずに動作を停止し、外部制御装置にエラーが発生した旨の通知を行う。なお、画像読取装置上の不図示の表示部に、エラー表示を行い、動作を停止するようにしてもよい。
【００３５】
なお、プラテンローラ１０が図５に示す第二の停止位置２３にてゴミ検知を行い、ゴミ検知の結果がゴミの付着なしと判定された場合、プラテンローラ１０を再度回転させず、原稿８を給紙して画像読み取りを実行するようにしてもよい。
【００３６】
また、ステップＳ１０２における最初のゴミ検知の際に、ステップＳ１０１でのプラテンローラ１０の停止位置を第二の停止位置２３とし、ステップＳ１０３で第一の停止位置１９に移動させてもよい。
【００３７】
上記第１の実施形態によれば、原稿を搬送する前または原稿が読取位置に到達する前に、読取センサ１よって読み取られた画像データに基づいて、コンタクトガラス１ａに付着したゴミの有無を判定する。これにより、コンタクトガラスに付着したゴミか否かを容易に判断し、原稿の画像読み取りを行うまでの時間を短縮することができる。また、コンタクトガラスにはゴミが付着していないのにエラーになってしまうという問題を低減することができる。また、コンタクトガラスに付着したゴミによって発生する読み取り画像上の黒スジの発生を効果的に防ぐことができる。
【００３８】
［第２の実施形態］
本発明の第２の実施の形態に係る画像読取装置は、その構成（図１）が上記第１の実施の形態に係る画像読取装置と同じであり、第１の実施の形態と同様の部分については、同一の符号を用いてその説明を省略する。以下に、上記第１の実施の形態と異なる点のみを説明する。
【００３９】
図６は、本発明の第２の実施形態におけるゴミ検知方法を説明するための図である。
【００４０】
本第２の実施形態では、画像読取部で原稿８の画像を読み取る際は、プラテンローラ１０を駆動して図６に示す第三の停止位置２４で停止させることで原稿の背景をプラテンローラ１０の黒色部１７にさせる。そして、読取センサ１とプラテンローラ１０との間に原稿を搬送させながら、一定周期ごとに読取センサ１で原稿の画像を読み取って画像入力部４１に画像データを出力する。そして、画像入力部４１に入力された画像データは、画像メモリ４２に格納される。
【００４１】
ゴミ検知をする際には、原稿を搬送せずにまたは原稿の搬送中に読取位置に原稿が存在しないときに、プラテンローラ１０を図２に示す第一の停止位置１９で停止させる。そして、読取センサ１で一ライン分の画像を読み取って取得し、その画像データを読取センサ１から画像入力部４１に出力する。そして、画像入力部４１に入力された画像データは、画像メモリ４２に格納される。このように、プラテンローラ１０は、原稿搬送時の第三の停止位置２４と、ゴミ検知時の第一の停止位置１９とで読取センサ１による原稿画像の読み取り時の背景が異なるように構成されている。
【００４２】
画像メモリ４２に格納された画像データは、ゴミ検知部４３によりゴミの有無が検知される。原稿を搬送せずに読み取られた画像データは、暗い部分が明度の小さい値、明るい部分が大きい値となる。つまり、コンタクトガラス１ａ（またはプラテンローラ１０）に小さなゴミが付着していた場合、ゴミが付着していた箇所の画素では、他の画素に比べて明度が小さくなる。
【００４３】
そこで、上記第１の実施の形態におけるゴミの検知方法と同様に、画像メモリ４２に格納された画像データの一ライン分の画像データまたは上記一次元画像データ中で一画素ずつ注目画素を移動させてゆく。そして、注目画素の明度がしきい値より小さい場合に、ゴミありと検知させる。そして、プラテンローラ１０を回転駆動して停止させ、上述した検知方法で再度ゴミの検知を行うことで、コンタクトガラス１ａに付着したゴミか、プラテンローラ１０に付着したゴミかを判定することができる。なお、第１の実施形態で説明したように、ゴミの有無の検知については、黒色部１７を読取センサ１に対向させて読取を行い、注目画素の明度と予め設定されたしきい値とを比較する。そして、当該注目画素の明度がしきい値よりも大きいときに、ゴミありと検知させるようにしてもよい。また、読取センサ１に白色部１８を対向させて行うゴミ検知方法と黒色部１７を対向させて行うゴミ検知方法の両方を実行することが好適である。
【００４４】
また、上記第１の実施形態と同様に、ゴミの検知方法については、注目画素と隣接する画素の明度を比較し、その明度の差を予め設定されたしきい値と比較することでゴミの検知を行うようにしてもよい。この場合、明度の差がしきい値より大きいとき（または小さいとき）にゴミあり（またはゴミなし）と判定する。
【００４５】
次に、画像読取装置１２で原稿の画像読み取り前に実行されるゴミの有無判定処理について説明する。
【００４６】
画像読取装置１２は、上記第１の実施形態の図４の処理と同様に、装置本体上の不図示の読み取り開始ボタンの押下またはＰＣ等の外部制御装置からの画像読み取り命令がなされると、原稿８を給送して画像読み取りを行う前にゴミの有無判定処理を行う。
【００４７】
本第２の実施の形態では、図４のステップＳ１０５でゴミの付着なしと判定された場合、プラテンローラ１０を回転駆動して、図６に示す第三の停止位置２４にて停止させ、原稿８を給送して画像読み取りを実行する。
【００４８】
上記第２の実施形態によれば、上記第１の実施形態と同様の効果を奏することができる。
【００４９】
［第３の実施形態］
本発明の第２の実施の形態に係る画像読取装置は、その構成（図１）が上記第１の実施の形態に係る画像読取装置と同じであり、第１の実施の形態と同様の部分については、同一の符号を用いてその説明を省略する。以下に、上記第１の実施の形態と異なる点のみを説明する。
【００５０】
図７は、本発明の第３の実施形態におけるゴミ検知方法を説明するための図である。
【００５１】
本第３の実施形態における画像読取装置は、上記第１の実施形態における画像読取装置に対して、そのゴミの検知方法が異なる。
【００５２】
本実施の形態では、ゴミ検知をする際は、原稿を搬送せずにまたは原稿の搬送中に読取位置に原稿が存在しないときに、プラテンローラ１０を図２に示す第一の停止位置１９から図中の矢印方向に回転駆動しながら、図５に示す第二の停止位置２３まで回転させる。そして、プラテンローラ１０の回転中に一定周期ごとに読取センサ１で一ライン分ずつ画像を読み取り、その画像データを読取センサ１から画像入力部４１に入力する。そして、画像入力部４１に入力された画像データは、画像メモリ４２に格納される。これにより、プラテンローラ１０の背景を回転させながら得られる二次元の画像データが画像メモリ４２に格納される。
【００５３】
プラテンローラ１０を回転させながら画像を読み取っているため、プラテンローラ１０に付着したゴミは、例えば、図７に示すように、点７１または短い線７２として読取画像に現れる。一方、コンタクトガラス１ａは移動していないため、コンタクトガラス１ａに付着しているゴミは、図７に示すように、長い線７２として読取画像に現れる。そこで、画像メモリ４２に格納された画像データにおいて、その読取画像上に点または副走査方向に予め設定された長さよりも短い線が現れた場合には、プラテンローラ１０にのみゴミが付着していると判断して、ゴミ無しと判定する。この場合、プラテンローラ１０の回転位置をずらすことにより、ゴミの影響を受けずに原稿の画像を読み取ることが可能となる。
【００５４】
一方、画像メモリ４２に格納された画像データにおいて、その画像上に副走査方向に予め設定された長さよりも長い線が現れた場合には、コンタクトガラス１ａが汚れていると判断して、ゴミありと判定する。そして、ユーザにコンタクトガラス１ａの清掃を促すべく、外部制御装置にエラーが発生した旨の通知や画像読取装置上の不図示の表示部にエラー表示を行う。
【００５５】
なお、コンタクトガラス１ａが汚れているか否かの判定については、画像読取装置１２が行うと共に、図７に示す画像データを外部制御装置２００に送信し（ゴミ検知画像送信手段）、表示部２０４に表示させて、ユーザにも判定の妥当性の判断を行わせてもよい。これにより、ユーザがゴミの有無判定の妥当性を容易に確認することができる。
【００５６】
上記第３の実施形態によれば、上記第１の実施形態と同様の効果を奏することができる。
【００５７】
上記第１〜第３の実施形態では、ゴミ検知部４３はハードウェア回路であるが、ゴミ検知部の機能の一部または全部をＣＰＵ２０またはその他のＣＰＵで実行されるソフトウェアによって実現するように変更してもよい。
【００５８】
上記第１〜第３の実施形態では、本発明を画像読取装置に適用した場合について説明したが、これに限定されず、画像読取機能を備えた機器であればどのようなもの（例えば、複写機等）に適用しても、本発明の効果を奏することは云うまでもない。
【００５９】
また、上記第１〜第３の実施形態では、ＣＰＵ２０が不図示のメモリ等から読み出した制御プログラムを実行することにより、図４に示す処理が実行されているが、外部制御装置等によって処理が実行されてもよい。その場合、画像読取装置に外部制御装置を接続したシステムは、本発明の画像読取装置に相当する。
【００６０】
また、本発明の目的は、以下の処理を実行することによって達成することもできる。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。この場合、記憶媒体から読み出されたプログラムコード自体が前述した実施の形態の機能を実現することになり、そのプログラムコード及び該プログラムコードを記憶した記憶媒体は本発明を構成することになる。
【００６１】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【００６２】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００６３】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【００６４】
また、コンピュータが読み出したプログラムコードを実行することにより、前述した各実施の形態の機能が実現される場合も本発明に含まれる。加えて、そのプログラムコードの指示に基づき、コンピュータ上で稼働しているＯＳなどが実際の処理の一部または全部を行い、その処理によって前述した実施の形態の機能が実現する場合も含まれる。この場合、上記プログラムは、該プログラムを記憶した記憶媒体から直接、またはインターネット、商用ネットワーク、若しくはローカルエリアネットワーク等に接続された不図示の他のコンピュータやデータベース等からダウンロードすることにより供給される。
【符号の説明】
【００６５】
１  読取センサ
４  フィードローラ
６  ピックアップローラ
７  原稿台
８  原稿
１０  プラテンローラ
１１  分離ローラ
１５  駆動モータ
２１  位置センサ
２０  ＣＰＵ
４１  画像入力部
４２  画像メモリ
４３  ゴミ検知部
【図１】
2014060752.tif 000003
【図２】
2014060752.tif 000004
【図３】
2014060752.tif 000005
【図４】
2014060752.tif 000006
【図５】
2014060752.tif 000007
【図６】
2014060752.tif 000008
【図７】
2014060752.tif 000009